(57)【要約】 【課題】操作リングの操作時に、操作者の手が把持部材の前方の脚部にあたってしまい操作性が低下する問題や、操作者の左目の視界が前方の脚部によってさえぎられてしまうという問題があった。【解決手段】本発明は前方にレンズ鏡筒部を有すると共に、後部に表示部を有する撮像機器本体の上部に、脚部で接合される把手部材であって、前記脚部のうち前方の脚部がレンズ鏡筒部の入射光軸に向かって左側に移動した位置で撮像機器本体に接合される構成とした。【選択図】図１
2006317911.tif 000002
【特許請求の範囲】
【請求項１】
前部にレンズ鏡筒部を有すると共に、後部に表示部を有する撮像機器本体の上部に脚部を介して接合される把持部材であって、
前記脚部のうち前方の脚部が前記レンズ鏡筒部の入射光軸方向に向かって左右何れかにオフセットした位置で前記撮像機器本体に接合される撮像機器の把持部材。
【請求項２】
前方の脚部が前記レンズ鏡筒部の入射光軸に向かって左側にオフセットした位置で前記撮像機器本体に接合された請求項１に記載の撮像機器の把持部材。
【請求項３】
撮像機器本体と、
前記撮像機器本体の前部に配置されており、被写体を撮像するためのレンズ鏡筒部と、
前記撮像機器本体の後部に配置されており、撮像した内容を確認するための表示部と、
前記撮像機器本体の上部に脚部を介して配置された把持部材とを備え、
前記脚部のうち前方の脚部は、前記撮像機器本体の左右方向の中心に対して左右いずれかにオフセットした位置に接合した撮像機器。
【請求項４】
前方の脚部は、前記把持部材の本体部を起点として前記撮像機器正面に向かって左下方向に延び、前記撮像機器本体の左右方向の中心に対して左側にオフセットした位置に接合した請求項３に記載の撮像機器。
【発明の詳細な説明】
【技術分野】
【０００１】
本発明は、可搬型ビデオカメラレコーダ等の撮像機器及びその把持部材に関する。
【背景技術】
【０００２】
撮像機器には携帯する際の利便を図るために把持部材が取り付けられているものがある。従来の撮像機器の把持部材は、撮像機器本体に前、後の脚部で接合されている。特に、前方の脚部はほぼ鉛直方向に配置した状態で撮像機器本体に接合されている（例えば、特開２００３−２５９１７１号公報 参照）。
【０００３】
図３、図４は従来の撮像機器の斜視図である。撮像機器本体１の上部に、撮像機器本体１に対して平行に、一定の間隔を空けて把持部材の本体部１２ｄが設けられている。把持部材の本体部１２ｄは、前方を脚部１２ａにより、後方を脚部２ｂにより撮像機器本体１に取り付けられている。前方の脚部１２ａは四角柱状であって、ほぼ鉛直方向に延びた状態で撮像機器本体１と把持部材の本体部１２ｄ間に接合されている。
【０００４】
前記撮像機器の把持部材１２には、撮像機器の撮影時の操作対象であるレンズ鏡筒部３のフォーカス及び絞りを調節するための操作リング４，５の操作性が良好であることや、撮影時に撮像機器本体１を保持した時の前方の視界の確保が要求されている。
【特許文献１】特開２００３−２５９１７１号公報
【特許文献２】特開２００１−１８９８８３号公報
【特許文献３】実開昭６１−４９３２９号公報
【特許文献４】実開昭６２−５８９６８号公報
【特許文献５】実開昭６２−５８９６５号公報
【発明の開示】
【発明が解決しようとする課題】
【０００５】
しかしながら、このような従来の把持部材１２は、操作リング４，５の操作時に、操作者の手が前方の脚部１２ａにあたってしまい操作性が低下する可能性があるという問題点があった。また、図４に示すように、操作者が撮像機器本体１を保持して右目をビューファインダー７に近づけた際に、被写体や背景を直接見ることになる左目の視界（視線を矢印Ｄで示す）が、この前方の脚部１２ａによってさえぎられてしまい、前方の視界が悪化するという問題点があった。
【０００６】
本発明はこのような問題点に鑑み、前述した操作リングの操作性が向上するとともに、撮影時の前方の視界の確保を実現する撮像機器及びその把持部材を提供することを目的とする。
【課題を解決するための手段】
【０００７】
前記課題を解決するために本発明は、前部にレンズ鏡筒部を有すると共に、後部に表示部を有する撮像機器本体の上部に、脚部を介して本体部が接合される把持部材であって、前記脚部のうち前方の脚部が前記レンズ鏡筒部の入射光軸方向に向かって左右何れかにオフセットした位置で前記撮像機器本体に接合されるように構成したものである。
【０００８】
また、本発明の撮像機器は、撮像機器本体と、前記撮像機器本体の前部に配置されており、被写体を撮像するためのレンズ鏡筒部と、前記撮像機器本体の後部に配置されており、撮像した内容を確認するための表示部と、前記撮像機器本体の上部に脚部を介して本体部が配置された把持部材とを備え、前記脚部のうち前方の脚部は、前記撮像機器本体の左右方向の中心に対して左右いずれかにオフセットした位置に接合した。
【発明の効果】
【０００９】
以上のように本発明によれば、把持部材の前方の脚部がレンズ鏡筒部の入射光軸に向かって左右何れかにオフセットした位置で撮像機器本体と接合されるように構成されているので、レンズ鏡筒部のフォーカスリングやズームリングを操作する指の可動範囲が拡大されると共に、撮影者の前方の視線を妨害しないという撮影者にとって極めて有益な操作性を実現するという効果が得られる。
【発明を実施するための最良の形態】
【００１０】
本発明は、前部にレンズ鏡筒部を有すると共に後部に表示部を有する撮像機器本体の上部に、把持部材の本体部が脚部で接合され、前記脚部のうち前方の脚部がレンズ鏡筒部の入射光軸方向に向かって左側にオフセットした位置で撮像機器本体に接合される撮像機器の把持部材であり、レンズ鏡筒部のフォーカスリングなどの調整操作や前方の視界を妨げていた把持部材の前方の脚部がオフセットした位置にあるので、優れた操作性を実現するという作用を有する。
【００１１】
以下、本発明の実施の形態について、図１及び図２を用いて説明する。
図１は、本発明の一実施の形態による撮像機器及びその把持部材を示す前方斜視図である。図１において撮像機器本体１は、その前部に被写体を撮像するためのレンズ鏡筒部３を備えている。また、撮像機器本体１は、その後部の上方に撮像した内容を確認するための表示部としてビューファインダー７を備えている。
【００１２】
撮像機器本体１の上部に、把持部材の本体部２ｄが撮像機器本体１の前後方向に配置され、前方の脚部２ａと後方の脚部２ｂで接合されている。即ち、把持部材の本体部２ｄは、断面が略長方形の筒体で、脚部２ａ、２ｂを介して撮像機器本体１に対して平行に、一定の間隔を空けて撮像機器本体１の上部に取り付けられている。このため、撮像機器本体１と把持部材の本体部２ｄ間に適当な間隔が開いて撮像機器を携帯する際に、携帯しやすいように構成されている。この把持部材の本体部２ｄは撮像機器本体１の重心の真上にあることが望ましい。そのため、把持部材の本体部２ｄは、撮像機器の左右方向の重心位置でかつ、レンズ鏡筒部３の真上となるように配置されている。
【００１３】
把持部材２はその前方の先端部にマイク８が備えられている。マイク８とレンズ鏡筒部３との左右方向の中心線は一致していることが望ましい。
前方の脚部２ａは湾曲した筒体であり、その下端部である根元接合部２ｃが撮像機器本体１の上側部と接合し、上端部が把持部材の本体部２ｄの先端部に接合している。即ち、前方の脚部２ａは、その先端部が把持部材の本体部２ｄの先端と接合し、根元接合部２ｃが入射光軸方向Ｘに向かって左側、すなわち正面（入射光軸方向Ｘ）から撮像機器本体１を見たときの左側（矢印Ｚ方向）に偏った位置に来るようにして撮像機器本体１と接合されている。換言すると、前方の脚部２ａは、把持部材の本体部２ｄを起点として左斜め下方向に延びて撮像機器本体１の左側上部に接合しており、撮像機器本体１の左右方向の中心に対して左側にオフセットした位置に配置されている。このため、フォーカスリング４及びズームリング５を回転調整する際、操作者の指は前方の脚部２ａと干渉することなく、前方の脚部２ａと撮像機器本体１との根元接合部２ｃまで容易に移動することができる。
【００１４】
図２は、本発明の実施の形態による撮像機器の撮影状態を示す後方斜視図である。図２において、撮像機器本体１と把持部材２の前方の脚部２ａの根元接合部２ｃはレンズ鏡筒部３の入射光軸方向Ｘに対して左側（矢印Ｚ方向）に偏った位置になるように構成されている。撮影状態において、撮影者の右目は、表示部としてのビューファインダー７を覗き込むために、ビューファインダー７に近接することになる。その際、左目は撮像機器のビューファインダー７を通さずに被写体やその背景を直接視認し、この情報を構図や画角決定のための判断材料とする。本発明の撮像機器の把持部材２では、図２のように、撮影者の前方の視線Ｄを妨げないように構成されている。すなわち、把持部材２の前方の脚部２ａがオフセットした位置にあるため、左目の視界の妨げとならない。
【００１５】
なお、本発明の実施の形態では、右目でデビューファインダーを覗き、左目で被写体を直接視認するための構成を説明したが、左右が逆の構成としてもよい。
また、前方の脚部２ａは、撮像機器本体１の側部から中央に向かって緩やかにカーブしながら立ち上がり、上部付近で略水平に折れ曲がった形状であるが、本発明の把持部材２はかかる形状に限定されず、逆Ｌ字状、斜め直線状、円弧状、放物線状等いずれであってもよく、ビューファインダーを通さない方の目の視覚を妨げない構成であればよい。
【産業上の利用可能性】
【００１６】
本発明の撮像機器及びその把持部材によれば、レンズ鏡筒部のフォーカスリングやズームリングを操作する指の可動範囲が拡大されると共に、撮影者の前方の視界を妨害しないため、素早い操作と状況判断が必要な業務用の撮像装置等にも適用できる。
【図面の簡単な説明】
【００１７】
【図１】本発明の一実施の形態による撮像機器及びその把持部材を示す前方斜視図である。
【図２】本発明の一実施の形態による撮像機器及びその把持部材の撮影状態を示す後方斜視図である。
【図３】従来の撮像機器及びその把持部材を示す前方斜視図である。
【図４】従来の撮像機器及びその把持部材の撮影状態を示す後方斜視図である。
【符号の説明】
【００１８】
１    撮像機器本体
２    把持部材
２ａ  前方の脚部
２ｂ  後方の脚部
２ｄ  撮像機器本体
３    レンズ鏡筒部
４    フォーカスリング
５    ズームリング
７    ビューファインダー（表示部）
Ｄ    撮影者の前方の視線
Ｘ    入射光軸方向
Ｙ    鉛直方向
Ｚ    入射光軸方向Ｘに向かって左方向
【図１】
2006317911.tif 000003
【図２】
2006317911.tif 000004
【図３】
2006317911.tif 000005
【図４】
2006317911.tif 000006